(57)【特許請求の範囲】
【請求項１】
顧客の金銭取引に関する要求を受付けるＡＴＭにおいて、
前記顧客の操作に基づき、引き出す金銭の金額を示す金額情報を受け付ける金額情報受付手段と、
前記金額情報受付手段が受け付けた前記金額情報に基づき、金銭の引き出しに関する動作を制御する金銭引出制御手段と、
前記金銭引出制御手段の制御により、前記金額情報が示す金額の紙幣を袋に挿入する紙幣袋詰め手段と、
前記金銭引出制御手段の制御により、前記紙幣袋詰め手段が前記袋に挿入した前記紙幣を前記顧客に示し、前記袋に挿入した前記紙幣の枚数を前記顧客により確認可能とする枚数確認手段と、
前記顧客の操作に基づき、前記袋に挿入した前記紙幣の枚数が確認されたことを示す確認済み情報を受け付ける確認済み情報受付手段と、
前記金銭引出制御手段の制御により、前記確認済み情報受付手段において前記確認済み情報を受け付けた場合に、前記袋を封緘して排出する封緘手段と、を備えることを特徴とするＡＴＭ。
【請求項２】
前記枚数確認手段は、前記袋に挿入された前記紙幣の側縁の一部を拡大して表示する拡大表示手段と、
前記拡大表示手段において、拡大して表示された前記紙幣の側縁の一部と対比して表示され、複数の前記紙幣が重ねられたときの厚さの基準となる目盛りを有する対比基準手段と、を備えることを特徴とする請求項１に記載のＡＴＭ。
【請求項３】
前記金銭引出制御手段の制御により、複数種類の前記袋のデザインを表示する表示手段と、
前記顧客の操作に基づき選択された前記複数種類の前記袋のデザインのいずれかを示す選択デザイン情報を受け付ける選択デザイン受付手段と、を更に備え、
前記金銭引出制御手段は、前記紙幣袋詰め手段に対し、前記選択デザイン受付手段で受け付けた前記選択デザイン情報が示すデザインの前記袋に前記紙幣を挿入させる制御を行うことを特徴とする請求項１又は２に記載のＡＴＭ。
【請求項４】
請求項１から３のいずれかに記載のＡＴＭと、前記ＡＴＭとネットワークを介して接続された銀行サーバと、前記銀行サーバとネットワークを介して接続された、振込者の振込端末及び引出者の引出端末と、を備える銀行システムであって、
前記振込端末は、
前記振込者の操作に基づき、前記振込者が指定した振込金額を前記引出者の口座に振り込むことを要求する振込要求を受け付ける振込端末制御手段と、
前記振込端末制御手段の制御により、複数種類の前記袋のデザインを表示する振込端末表示手段と、を備え、
前記振込端末制御手段により、
前記振込者の操作に基づき選択された前記複数種類の前記袋のデザインのいずれかを示す振込者選択デザイン情報を受け付け、
前記振込要求と前記振込者選択デザイン情報とを対応付けて前記銀行サーバに送信し、
前記銀行サーバは、
前記振込端末から送信された前記振込要求における前記振込金額を前記引出者の口座に振り込む銀行サーバ制御手段と、
前記振込者選択デザイン情報に示されるデザインの前記袋に挿入された前記振込金額の紙幣を引出可能であることを示す袋引出通知画像を、前記引出端末において表示するための袋引出通知情報を生成し、前記引出端末に送信する袋引出通知手段と、
前記振込端末から送信された前記振込要求における前記振込金額を示す振込金額情報と前記振込者選択デザイン情報とを含む袋引出情報を生成し、前記ＡＴＭに送信する袋引出情報生成手段と、を備え、
前記ＡＴＭは、
前記引出者の操作に基づき、袋引出要求を受け付ける袋引出要求受付手段を、更に、備え、
前記金銭引出制御手段において、前記袋引出要求受付手段が前記袋引出要求を受け付けた場合に、前記銀行サーバから送信された前記袋引出情報に基づき、前記紙幣袋詰め手段に対し、前記振込金額情報が示す金額の紙幣を、前記振込者選択デザイン情報が示すデザインの前記袋に挿入させる制御を行うことを特徴とする銀行システム。
【請求項５】
顧客の金銭取引に関する要求を受付けるＡＴＭが実行するＡＴＭの紙幣袋詰め方法であって、
前記顧客の操作に基づき、引き出す金銭の金額を示す金額情報を受け付ける金額情報受付段階と、
前記金額情報受付段階で受け付けた前記金額情報に基づき、金銭の引き出しに関する動作を制御する金銭引出制御段階と、
前記金額情報が示す金額の紙幣を袋に挿入する紙幣袋詰め段階と、
前記紙幣袋詰め段階で前記袋に挿入した前記紙幣を前記顧客に示し、前記袋に挿入した前記紙幣の枚数を前記顧客により確認可能とする枚数確認段階と、
前記顧客の操作に基づき、前記袋に挿入した前記紙幣の枚数が確認されたことを示す確認済み情報を受け付ける確認済み情報受付段階と、
前記確認済み情報受付段階において前記確認済み情報を受け付けた場合に、前記袋を封緘して排出する封緘段階と、を含むことを特徴とするＡＴＭの紙幣袋詰め方法。
【発明の詳細な説明】
【技術分野】
【０００１】
本発明は、ＡＴＭ、銀行システム及びＡＴＭの紙幣袋詰め方法に関する。
【背景技術】
【０００２】
従来、顧客は、銀行等に設けられたＡＴＭを利用して、自分の口座から紙幣を引き出すことができる。例えば、顧客は、ＡＴＭにキャッシュカードを挿入し、本人認証のための暗証番号や引き出す金額を入力することで、ＡＴＭから紙幣が排出される。
【０００３】
通常、紙幣は、ＡＴＭからそのまま排出される。このため、ＡＴＭの周囲にいる者に、ＡＴＭから引き出した紙幣の量を見られてしまう場合があり、例えば、多額の現金を引き出した者は、身の危険を感じる場合もある。そこで、ＡＴＭの内部において、予め引き出す紙幣を袋詰めしてしまってから排出すれば、ＡＴＭの周囲にいる者に、引き出した紙幣の量を見られることを防止できる。
【０００４】
このように紙幣を袋詰めするＡＴＭとして、支払要求現金を計数して放出する現金放出機構により放出された現金を封筒に入れ、封緘して放出する技術が提案されている（例えば、特許文献１参照）。この技術によれば、放出する現金を封筒に入れ、封緘して放出できる。
【先行技術文献】
【特許文献】
【０００５】
【特許文献１】特公平０８−０１０４７０号公報
【発明の概要】
【発明が解決しようとする課題】
【０００６】
しかしながら、特許文献１の技術では、ＡＴＭから放出された現金は、封筒に入れられ、この封筒が封緘されている。このため、現金を引き出した者は、封筒を開封しなければ、自分が入力した金額が引き出せたか否かを確認できない。現金を引き出した者には、自分が入力した金額が引き出せたか否かを、ＡＴＭのそばで確認したい要望がある。現金を引き出した者は、ＡＴＭのそばで金額が不足していることが判明すれば、その場で対応できるが、例えば、自宅に帰ってから開封し、金額が不足していることが判明すれば、再び、ＡＴＭが設置されている銀行等に戻り対応しなければならない。一方、現金を引き出した者は、ＡＴＭのそばで、現金の入った封筒を開封して金額を確認すると、ＡＴＭの周囲にいる者に、ＡＴＭから引き出した紙幣の量を見られてしまうおそれがある。
【０００７】
本発明は、上記のような課題に鑑み、なされたものであり、顧客により引き出した金額であると確認された紙幣を袋詰めできるＡＴＭ、銀行システム及びＡＴＭの紙幣袋詰め方法を提供することを目的とする。
【課題を解決するための手段】
【０００８】
上記のような課題を解決するため、本発明のＡＴＭ、銀行システム及びＡＴＭの紙幣袋詰め方法は、以下のような特徴を備える。
【０００９】
本発明のＡＴＭは、顧客の金銭取引に関する要求を受付けるＡＴＭであって、前記顧客の操作に基づき、引き出す金銭の金額を示す金額情報を受け付ける金額情報受付手段と、前記金額情報受付手段が受け付けた前記金額情報に基づき、金銭の引き出しに関する動作を制御する金銭引出制御手段と、前記金銭引出制御手段の制御により、前記金額情報が示す金額の紙幣を袋に挿入する紙幣袋詰め手段と、前記金銭引出制御手段の制御により、前記紙幣袋詰め手段が前記袋に挿入した前記紙幣を前記顧客に示し、前記袋に挿入した前記紙幣の枚数を前記顧客により確認可能とする枚数確認手段と、前記顧客の操作に基づき、前記袋に挿入した前記紙幣の枚数が確認されたことを示す確認済み情報を受け付ける確認済み情報受付手段と、前記金銭引出制御手段の制御により、前記確認済み情報受付手段において前記確認済み情報を受け付けた場合に、前記袋を封緘して排出する封緘手段と、を備えることを特徴とする。
【００１０】
上記構成によれば、金額情報受付手段は、顧客の操作に基づき、引き出す金銭の金額を示す金額情報を受け付ける。金銭引出制御手段は、金額情報受付手段が受け付けた金額情報に基づき、金銭の引き出しに関する動作を制御する。紙幣袋詰め手段は、金銭引出制御手段の制御により、金額情報が示す金額の紙幣を袋に挿入する。枚数確認手段は、金銭引出制御手段の制御により、紙幣袋詰め手段が袋に挿入した紙幣を顧客に示し、袋に挿入した紙幣の枚数を顧客により確認可能とする。確認済み情報受付手段は、顧客の操作に基づき、袋に挿入した紙幣の枚数が確認されたことを示す確認済み情報を受け付ける。封緘手段は、金銭引出制御手段の制御により、確認済み情報受付手段において確認済み情報を受け付けた場合に、袋を封緘して排出する。
【００１１】
このようにすることで、顧客の操作に基づく金額の紙幣を引き出し袋に挿入できる。そして、袋に挿入された紙幣の枚数を顧客に確認させてから、袋を封緘してＡＴＭから排出できる。したがって、顧客により引き出した金額であると確認された紙幣を袋詰めできるＡＴＭを提供できる。
【００１２】
また、上記ＡＴＭの発明は、さらに以下の特徴を備えることができる。前記枚数確認手段は、前記袋に挿入された前記紙幣の側縁の一部を拡大して表示する拡大表示手段と、前記拡大表示手段において、拡大して表示された前記紙幣の側縁の一部と対比して表示され、複数の前記紙幣が重ねられたときの厚さの基準となる目盛りを有する対比基準手段と、を備えることを特徴とする。
【００１３】
上記構成によれば、枚数確認手段において、拡大表示手段は、袋に挿入された紙幣の側縁の一部を拡大して表示し、対比基準手段は、拡大表示手段において、拡大して表示された紙幣の側縁の一部と対比して表示され、複数の紙幣が重ねられたときの厚さの基準となる目盛りを有する。このようにすることで、顧客は、拡大して表示された紙幣の側縁の一部と、目盛りとを対比して、紙幣が引き出した金額の枚数分だけ袋に挿入されているかを確認できる。
【００１４】
また、上記ＡＴＭの発明は、以下の特徴を備えることができる。前記金銭引出制御手段の制御により、複数種類の前記袋のデザインを表示する表示手段と、前記顧客の操作に基づき選択された前記複数種類の前記袋のデザインのいずれかを示す選択デザイン情報を受け付ける選択デザイン受付手段と、を更に備え、
前記金銭引出制御手段は、前記紙幣袋詰め手段に対し、前記選択デザイン受付手段で受け付けた前記選択デザイン情報が示すデザインの前記袋に前記紙幣を挿入させる制御を行うことを特徴とする。
【００１５】
上記構成によれば、表示手段は、金銭引出制御手段の制御により、複数種類の袋のデザインを表示する。選択デザイン受付手段は、顧客の操作に基づき選択された複数種類の袋のデザインのいずれかを示す選択デザイン情報を受け付ける。金銭引出制御手段は、紙幣袋詰め手段に対し、選択デザイン受付手段で受け付けた選択デザイン情報が示すデザインの袋に紙幣を挿入させる制御を行う。このようにすることで、複数種類の袋の中から、顧客が選択したデザインの袋に、紙幣を挿入できる。
【００１６】
また、上記ＡＴＭを含む銀行システムの発明は、以下の特徴を備えることができる。上記ＡＴＭと、前記ＡＴＭとネットワークを介して接続された銀行サーバと、前記銀行サーバとネットワークを介して接続された、振込者の振込端末及び引出者の引出端末と、を備える銀行システムであって、前記振込端末は、前記振込者の操作に基づき、前記振込者が指定した振込金額を前記引出者の口座に振り込むことを要求する振込要求を受け付ける振込端末制御手段と、前記振込端末制御手段の制御により、複数種類の前記袋のデザインを表示する振込端末表示手段と、を備え、前記振込端末制御手段により、前記振込者の操作に基づき選択された前記複数種類の前記袋のデザインのいずれかを示す振込者選択デザイン情報を受け付け、前記振込要求と前記振込者選択デザイン情報とを対応付けて前記銀行サーバに送信し、前記銀行サーバは、前記振込端末から送信された前記振込要求における前記振込金額を前記引出者の口座に振り込む銀行サーバ制御手段と、前記振込者選択デザイン情報に示されるデザインの前記袋に挿入された前記振込金額の紙幣を引出可能であることを示す袋引出通知画像を、前記引出端末において表示するための袋引出通知情報を生成し、前記引出端末に送信する袋引出通知手段と、前記振込端末から送信された前記振込要求における前記振込金額を示す振込金額情報と前記振込者選択デザイン情報とを含む袋引出情報を生成し、前記ＡＴＭに送信する袋引出情報生成手段と、を備え、前記ＡＴＭは、前記引出者の操作に基づき、袋引出要求を受け付ける袋引出要求受付手段を、更に、備え、前記金銭引出制御手段において、前記袋引出要求受付手段が前記袋引出要求を受け付けた場合に、前記銀行サーバから送信された前記袋引出情報に基づき、前記紙幣袋詰め手段に対し、前記振込金額情報が示す金額の紙幣を、前記振込者選択デザイン情報が示すデザインの前記袋に挿入させる制御を行うことを特徴とする。
【００１７】
上記構成によれば、銀行システムは、ＡＴＭと、ＡＴＭとネットワークを介して接続された銀行サーバと、銀行サーバとネットワークを介して接続された、振込者の振込端末及び引出者の引出端末と、を備える。振込端末は、振込端末制御手段により、振込者の操作に基づき、振込者が指定した振込金額を引出者の口座に振り込むことを要求する振込要求を受け付け、振込端末表示手段により、振込端末制御手段の制御により、複数種類の袋のデザインを表示し、振込端末制御手段により、振込者の操作に基づき選択された複数種類の袋のデザインのいずれかを示す振込者選択デザイン情報を受け付け、振込要求と振込者選択デザイン情報とを対応付けて銀行サーバに送信する。銀行サーバは、銀行サーバ制御手段により、振込端末から送信された振込要求における振込金額を引出者の口座に振り込み、袋引出通知手段により、振込者選択デザイン情報に示されるデザインの袋に挿入された振込金額の紙幣を引出可能であることを示す袋引出通知画像を、引出端末において表示するための袋引出通知情報を生成し、引出端末に送信し、袋引出情報生成手段により、振込端末から送信された振込要求における振込金額を示す振込金額情報と振込者選択デザイン情報とを含む袋引出情報を生成し、ＡＴＭに送信する。ＡＴＭは、袋引出要求受付手段により、引出者の操作に基づき、袋引出要求を受け付け、金銭引出制御手段により、袋引出要求受付手段が袋引出要求を受け付けた場合に、銀行サーバから送信された袋引出情報に基づき、紙幣袋詰め手段に対し、振込金額情報が示す金額の紙幣を、振込者選択デザイン情報が示すデザインの袋に挿入させる制御を行う。
【００１８】
このようにすることで、振込者は、引出者の口座に振り込むとともに、振り込んだ金額の紙幣を挿入する袋のデザインを選択できる。そして、引出者は、ＡＴＭにおいて、振込者が振り込んだ金額の紙幣を、振込者が選択したデザインの袋に挿入された状態で受け取ることができる。これにより、例えば、本銀行システムの発明をインターネットバンキングに適用することで、顧客は、ＡＴＭ及び銀行サーバを介して、端末から他者に、自分で選択したデザインの袋に紙幣を入れて（例えば、お年玉）を贈ることができる。
【００１９】
また、本発明は、以下のように、紙幣袋詰め方法と捉えることも可能である。顧客の金銭取引に関する要求を受付けるＡＴＭが実行するＡＴＭの紙幣袋詰め方法であって、前記顧客の操作に基づき、引き出す金銭の金額を示す金額情報を受け付ける金額情報受付段階と、前記金額情報受付段階で受け付けた前記金額情報に基づき、金銭の引き出しに関する動作を制御する金銭引出制御段階と、前記金額情報が示す金額の紙幣を袋に挿入する紙幣袋詰め段階と、前記紙幣袋詰め段階で前記袋に挿入した前記紙幣を前記顧客に示し、前記袋に挿入した前記紙幣の枚数を前記顧客により確認可能とする枚数確認段階と、前記顧客の操作に基づき、前記袋に挿入した前記紙幣の枚数が確認されたことを示す確認済み情報を受け付ける確認済み情報受付段階と、前記確認済み情報受付段階において前記確認済み情報を受け付けた場合に、前記袋を封緘して排出する封緘段階と、を含むことを特徴とするＡＴＭの紙幣袋詰め方法。
【発明の効果】
【００２０】
本発明によれば、顧客により引き出した金額であると確認された紙幣を袋詰めできるＡＴＭ、銀行システム及びＡＴＭの紙幣袋詰め方法を提供することができる。
【図面の簡単な説明】
【００２１】
【図１】本発明の実施形態に係る銀行システムの概要を示す図である。
【図２】本発明の実施形態に係る枚数確認部を説明する図である。
【図３】本発明の実施形態に係る枚数確認部を説明する図である。
【図４】本発明の実施形態に係る銀行システムの機能ブロックを示す図である。
【図５】本発明の実施形態に係る封緘確認画面の一例を示す図である。
【図６】本発明の実施形態に係るデザイン選択画像の一例を示す図である。
【図７】本発明の実施形態に係る振込要求画面の一例を示す図である。
【図８】本発明の実施形態に係る袋引出通知画像の一例を示す図である。
【図９】本発明の実施形態に係る銀行システムにおけるＡＴＭの紙幣袋詰め処理フローを示す図である。
【図１０】本発明の実施形態に係る銀行システムにおける紙幣袋詰め処理フローを示す図である。
【発明を実施するための形態】
【００２２】
以下、添付図面を参照して、本発明を実施するための形態（以下、実施形態）について詳細に説明する。なお、実施形態の説明の全体を通して同じ要素には同じ番号（符号）を付している。
【００２３】
図１は、本発明の実施形態に係る銀行システム１の概要を示す図である。図１に示すように、銀行システム１は、ＡＴＭ１０と、ＡＴＭ１０とネットワークを介して接続された銀行サーバ２０と、銀行サーバ２０とネットワークを介して接続された、振込者の振込端末３０及び引出者の引出端末４０と、を備える。ここで、本実施形態において、「ＡＴＭ」とは、ＡＴＭ(Automated Teller Machine;現金自動預払機または自動取引装置)の呼称である。実施形態に係るＡＴＭ１０は、顧客の金銭取引に関する要求を受付ける。ＡＴＭ１０は、顧客が自己の口座から引き出した紙幣を袋に挿入し封緘して排出する。
【００２４】
また、本実施形態に係る銀行システム１は、例えば、インターネットバンキングに適用可能な例である。具体的には、銀行システム１において、ある顧客（振込者）は、他の顧客（引出者）の口座に振り込むとともに、振り込んだ金額の紙幣を挿入する袋のデザインを選択する。そして、他の顧客（引出者）は、ＡＴＭにおいて、ある顧客（振込者）が振り込んだ金額の紙幣を、ある顧客（振込者）が選択したデザインの袋に挿入された状態で受け取ることができる。
【００２５】
以下、銀行システム１について、詳細に説明する。ＡＴＭ１０は、制御部１００を収容する筐体１０ａに設けられた、カード読込部１１と、表示入力部１２と、入力部１３と、金銭入出金部１４と、通帳記入部１８と、を備える。また、ＡＴＭ１０は、筐体１０ａの内部で金銭入出金部１４と連動する紙幣袋詰め部１５及び封緘部１７と、金銭入出金部１４に設けられた枚数確認部１６と、を備える。
【００２６】
カード読込部１１は、顧客情報が記憶されたキャッシュカードから、顧客情報を読み込む。本実施形態において、「顧客情報」には、銀行、支店、口座名義人（以下、顧客とも称する）、口座番号等の口座に関する情報を含む。
【００２７】
表示入力部１２は、例えば、タッチパネルで構成され、複数種類の袋のデザインを表示する。顧客は、表示入力部１２に表示された複数種類の袋のデザインのいずれかに触れることで、紙幣を挿入する袋のデザインを選択できる。
【００２８】
入力部１３は、顧客が押圧操作可能なテンキーと顧客が指で触れることで、顧客の指紋を示す指紋情報を読み取る指紋センサを含む。顧客は、入力部１３のテンキーを操作することで、銀行サーバ２０による本人認証を受けるための暗証番号を入力したり、引き出す金銭の金額を指定したりできる。また、顧客は、入力部１３の指紋センサに触れることで、銀行サーバ２０による本人認証を受けることができる。
【００２９】
金銭入出金部１４は、制御部１００に制御され、顧客による入力部１３の操作で指定された金額の金銭が出し入れされる。金銭入出金部１４は、金銭が収容され上方が開口した金銭収容部１４ａと、金銭収容部１４ａの開口を開閉する蓋部１４ｂと、を備える。通帳記入部１８は、預金通帳を読み込み印字する。
【００３０】
次に、金銭入出金部１４と連動する紙幣袋詰め部１５及び封緘部１７と、金銭入出金部１４に設けられた枚数確認部１６について説明する。
【００３１】
紙幣袋詰め部１５は、制御部１００の制御により、金銭入出金部１４に出された、顧客による入力部１３の操作で指定された金額の紙幣を袋に挿入する。具体的には、紙幣袋詰め部１５は、例えば、開口部を有する袋が予め収容された袋収容部（図示無し）と、袋収容部に収容された袋を金銭入出金部１４に搬送するローラ等で構成された搬送部（図示無し）と、金銭入出金部１４に出された紙幣の下方又は側方から袋の開口部を近接させ、当該開口部から紙幣を袋の内部に挿入する挿入部（図示無し）と、を備える。
【００３２】
また、本実施形態における袋は、４種類あり、これらは互いに正面に表示されたデザインが異なる。また、本実施形態における袋は、開口部の周囲に、所定温度以上で接着する接着材が塗布されている。
【００３３】
また、紙幣袋詰め部１５は、制御部１００の制御により、顧客により選択されたデザインの袋に紙幣を挿入する。具体的には、紙幣袋詰め部１５は、４種類の袋を夫々袋収容部に収容し、制御部１００の制御により、選択された種類の袋を搬送部で搬送し、挿入部で紙幣を当該袋の内部に挿入する。
【００３４】
封緘部１７は、制御部１００の制御により、紙幣袋詰め部１５により紙幣が挿入された袋の開口部を封緘し、封緘した袋をＡＴＭ１０の外部に排出する。具体的には、封緘部１７は、例えば、袋の開口部の周囲に塗布された接着材を所定温度以上に温め開口部を接着する接着部（図示無し）と、開口部が接着された袋をＡＴＭ１０の外部に排出する排出部（図示無し）と、を備える。
【００３５】
枚数確認部１６は、制御部１００の制御により、紙幣袋詰め部１５が袋に挿入した紙幣を顧客に示し、袋に挿入した紙幣の枚数を顧客により確認可能とする。図２及び図３は、本発明の実施形態に係る枚数確認部１６を説明する図である。図２は、金銭入出金部１４の蓋部１４ｂが閉じた状態を示す図である。図３は、金銭入出金部１４の蓋部１４ｂが開いた状態を示す図である。図２に示すように、枚数確認部１６は、拡大表示部１６１と、対比基準部１６２と、一対の紙幣押さえ部１６３と、を備える。
【００３６】
拡大表示部１６１は、金銭入出金部１４の蓋部１４ｂに設けられ、金銭入出金部１４の金銭収容部１４ａにおいて、袋５１に挿入された複数枚の紙幣５０の側縁の一部を拡大して表示するレンズで構成されている。なお、本実施形態において、拡大表示部１６１は、レンズで構成したが、これに限らない。例えば、拡大表示部１６１は、蓋部１４ｂの裏側に設けられ、複数枚の紙幣５０の側縁の一部を撮像するカメラと、蓋部１４ｂの表側に設けられ、このカメラで撮像した画像を拡大して表示するディスプレイと、を備えてもよい。
【００３７】
対比基準部１６２は、金銭入出金部１４の蓋部１４ｂに表示された目盛りであり、拡大表示部１６１により拡大して表示された紙幣５０の側縁の一部と対比して表示され、複数の紙幣５０が重ねられたときの厚さの基準となる。
【００３８】
一対の紙幣押さえ部１６３は、金銭入出金部１４の金銭収容部１４ａに設けられている。一対の紙幣押さえ部１６３は、金銭入出金部１４の蓋部１４ｂが閉じた状態では、紙幣５０の側縁と直交する両方向から互いに近接して、金銭収容部１４ａにおいて袋５１に挿入された複数枚の紙幣５０を押さえ付ける。一方、図３に示すように、一対の紙幣押さえ部１６３は、金銭入出金部１４の蓋部１４ｂが開いた状態では、紙幣５０の側縁と直交する両方向から互いに離間して、金銭収容部１４ａにおいて袋５１に挿入された複数枚の紙幣５０を開放する。
【００３９】
これにより、顧客は、以下のように、袋５１に挿入された紙幣５０の枚数を確認する。図２及び図３に示す例では、顧客は、３０万円引き出し、袋５１には１万円札が３０枚挿入されている。顧客は、まず、金銭入出金部１４の蓋部１４ｂが閉じた状態において、拡大表示部１６１により拡大して表示された３０枚の紙幣５０の側縁の一部と、対比基準部１６２の目盛り３０枚とを対比して、紙幣５０が３０枚、袋５１に挿入されていることを確認する。そして、顧客は、３０枚の紙幣５０を確認できれば、例えば、表示入力部１２に表示された封緘確認画面において封緘することを選択することで、袋５１の開口部が封緘され排出される。一方、顧客は、３０枚の紙幣５０を確認できなかった場合は、図３に示すように、金銭入出金部１４の蓋部１４ｂを開く。すると、一対の紙幣押さえ部１６３は、互いに離間して、袋５１に挿入された複数枚の紙幣５０を開放する。これにより、顧客は、紙幣５０を１枚ずつ数えることが可能となる。
【００４０】
図４は、本発明の実施形態に係る銀行システム１の機能ブロックを示す図である。図４を参照して、ＡＴＭ１０の制御部１００、銀行サーバ２０、振込端末３０及び引出端末４０の機能構成について説明する。
【００４１】
ＡＴＭ１０は、制御部１００は、顧客情報受付手段１０１と、金額情報受付手段１０２と、金銭引出制御手段１０３と、選択デザイン受付手段１０４と、確認済み情報受付手段１０５と、袋引出要求受付手段１０６と、を備える。
【００４２】
顧客情報受付手段１０１は、カード読込部１１が読み込んだ顧客情報又は入力部１３の指紋センサが読み取った顧客の指紋情報を銀行サーバ２０に送信し、顧客の認証を得る。
【００４３】
金額情報受付手段１０２は、顧客の入力部１３の操作に基づき、引き出す金銭の金額を示す金額情報を受け付ける。
【００４４】
金銭引出制御手段１０３は、金額情報受付手段１０２が受け付けた金額情報に基づき、ＡＴＭ１０における金銭の引き出しに関する動作を制御する。詳細には、金銭引出制御手段１０３は、金銭入出金部１４を制御して、金額情報に基づく金額の紙幣を出す。そして、金銭引出制御手段１０３は、紙幣袋詰め部１５を制御して、金銭入出金部１４に出された紙幣を袋に挿入する。
【００４５】
また、金銭引出制御手段１０３は、表示入力部１２において、袋に挿入された紙幣の枚数を確認し、袋の封緘を求めるか否かを顧客に判断させる封緘確認画面を表示する制御を行う。
【００４６】
図５は、本発明の実施形態に係る封緘確認画面の一例を示す図である。封緘確認画面には、袋の封緘を求めるか否かの判断を顧客に促す文字画像と、封緘することを要求する封緘ボタン（図５中「封緘する」ボタン）及び封緘することを要求しない封緘中止ボタン（図５中「封緘しない」ボタン）と、が含まれる。顧客は、表示入力部１２に表示された封緘ボタンに触れる操作をすることで、ＡＴＭ１０において紙幣が挿入された袋を封緘し排出できる。また、顧客は、表示入力部１２に表示された封緘中止ボタンに触れる操作をすることで、ＡＴＭ１０において紙幣が挿入された袋を封緘せずに排出できる。
【００４７】
詳細には、顧客が表示入力部１２に表示された封緘ボタンに触れる操作をすることで、金銭引出制御手段１０３は、袋に挿入した紙幣の枚数が確認されたことを示す確認済み情報を受け付ける。そして、金銭引出制御手段１０３は、確認済み情報受付手段１０５において確認済み情報を受け付けた場合に、封緘部１７を制御して、紙幣が挿入された袋の開口部を封緘し、封緘した袋をＡＴＭ１０の外部に排出する。
【００４８】
また、金銭引出制御手段１０３は、表示入力部１２において、複数種類の袋のデザインとともに、これらのいずれかを選択することを顧客に促すデザイン選択画像を表示する制御を行う。図６は、本発明の実施形態に係るデザイン選択画像の一例を示す図である。デザイン選択画像は、複数種類の袋のデザインとともに、例えば、「紙幣を入れる袋に触れてください。」との表示を含むことで、顧客に紙幣を入れる袋のデザインを選択することを促す。顧客は、表示入力部１２に表示されたデザイン選択画像の複数種類の袋のデザインのいずれかに触れる操作をすることで、紙幣を入れる袋のデザインを選択できる。
【００４９】
図４に戻って、選択デザイン受付手段１０４は、顧客の操作に基づき選択された複数種類の袋のデザインのいずれかを示す選択デザイン情報を受け付ける。そして、金銭引出制御手段１０３は、紙幣袋詰め部１５に対し、選択デザイン受付手段１０４で受け付けた選択デザイン情報が示すデザインの袋に紙幣を挿入させる制御を行う。
【００５０】
また、袋引出要求受付手段１０６は、顧客（引出者）の操作に基づき、他の顧客（振込者）から振り込まれた金額の紙幣を、この他の顧客が選択したデザインの袋に挿入して引き出すことを要求する袋引出要求を受け付ける。そして、金銭引出制御手段１０３は、袋引出要求受付手段１０６が受け付けた袋引出要求に基づき、銀行サーバに後述する袋引出情報の送信を要求し、銀行サーバ２０から袋引出情報を受信する。金銭引出制御手段１０３は、銀行サーバ２０から受信した袋引出情報に基づき、金銭入出金部１４を制御して、袋引出情報に含まれる振込金額情報が示す金額の紙幣を出す。そして、金銭引出制御手段１０３は、紙幣袋詰め部１５に対し、金銭入出金部１４に出された紙幣を、袋引出情報に含まれる振込者選択デザイン情報が示すデザインの袋に挿入させる制御を行う。
【００５１】
銀行サーバ２０は、銀行サーバ制御手段２１と、袋引出通知手段２２と、袋引出情報生成手段２３と、顧客情報データベース（以下、ＤＢとも言う）２００を備える。
【００５２】
銀行サーバ制御手段２１は、ＡＴＭ１０から指紋情報及び顧客情報を受信し、顧客情報ＤＢ２００を参照して、受信した指紋情報及び顧客情報に基づき顧客を認証する。顧客情報ＤＢ２００には、口座番号に、口座名義人名、暗証番号、認証用指紋情報及び預金残高が対応付けられ記憶されている。
【００５３】
また、銀行サーバ制御手段２１は、振込者が指定した振込金額を引出者の口座に振り込むことを要求する振込要求、及び、当該振込要求と対応付けられた、振込者の操作に基づき選択された複数種類の袋のデザインのいずれかを示す振込者選択デザイン情報、を振込端末３０から受信する。銀行サーバ制御手段２１は、振込端末３０から受信し、当該振込要求における振込金額を引出者の口座に振り込む。
【００５４】
袋引出通知手段２２は、銀行サーバ制御手段２１が受信した振込者選択デザイン情報に示されるデザインの袋に挿入された振込金額の紙幣を引出可能であることを示す袋引出通知画像を、引出端末４０において表示するための袋引出通知情報を生成し、引出端末４０に送信する。
【００５５】
袋引出情報生成手段２３は、銀行サーバ制御手段２１が受信した振込要求における振込金額を示す振込金額情報と振込者選択デザイン情報とを含む袋引出情報を生成し、ＡＴＭ１０に送信する。
【００５６】
振込端末３０は、振込端末表示入力部３１と、振込端末制御部３２と、を備える。振込端末表示入力部３１は、例えば、タッチパネルで構成され、振込端末制御部３２に制御され、振込者が指定した振込金額を引出者の口座に振り込むことを要求する振込要求を受け付けるための振込要求画面を表示し、振込者から振込要求を受け付ける。
【００５７】
振込端末制御部３２は、振込者の振込端末表示入力部３１の操作に基づき、振込者が指定した振込金額を引出者の口座に振り込むことを要求する振込要求を受け付ける。また、振込端末制御部３２は、振込者の振込端末表示入力部３１の操作に基づき選択された複数種類の袋のデザインのいずれかを示す振込者選択デザイン情報を受け付ける。そして、振込端末制御部３２は、振込要求と振込者選択デザイン情報とを対応付けて銀行サーバ２０に送信する。
【００５８】
図７は、本発明の実施形態に係る振込要求画面の一例を示す図である。振込者は、振込端末３０の振込端末表示入力部３１に表示された振込要求画面の指示に沿って操作することで振込要求する。具体的には、振込者は、（ａ）に示す画面において、振込先（引出者）の口座番号を入力する。また、振込者は、（ｂ）に示す画面において、振込金額を入力する。振込端末制御部３２は、以上の振込者の操作に基づき、振込要求を受け付ける。次に、振込者は、（ｃ）に示す画面において、袋のデザインを選択する。振込端末制御部３２は、この振込者の操作に基づき、振込者選択デザイン情報を受け付ける。最後に、振込者は、（ｄ）に示す画面において、振込実行ボタンに触れる。振込端末制御部３２は、この振込者の操作に基づき、振込要求と振込者選択デザイン情報とを対応付けて銀行サーバ２０に送信する。
【００５９】
引出端末４０は、引出端末表示入力部４１と、引出端末制御部４２と、を備える。引出端末表示入力部４１は、例えば、タッチパネルで構成され、引出端末制御部４２に制御され、袋引出通知画像を表示する。引出端末制御部４２は、銀行サーバ２０から袋引出通知情報を受信し、受信した袋引出通知情報に基づく袋引出通知画像を引出端末表示入力部４１に表示させる制御を行う。
【００６０】
図８は、本発明の実施形態に係る袋引出通知画像の一例を示す図である。引出者は、引出端末４０において、図８に示すような袋引出通知画像が表示されることで、ＡＴＭ１０において、例えば、お年玉としての紙幣が挿入されたお年玉袋を排出可能であることが分かる。
【００６１】
なお、図４に示した機能ブロックは、あくまでも一例であり、一つの機能部を分割したり、複数の機能部をまとめて一つの機能部として構成してもよい。ＡＴＭやサーバ装置や端末も一台とは限らず、複数台であってもよい。各機能部は、ＡＴＭ、サーバ装置及び端末に内蔵されたＣＰＵ(Central  Processing  Unit)が、ＲＯＭ(Read  Only  Memory)またはハードディスク等の記憶装置に格納されたコンピュータ・プログラムを読み出し、ＣＰＵにより実行されるコンピュータ・プログラムが、記憶装置に格納されたデータベース(ＤＢ;Data  Base)やメモリ上の記憶領域からテーブル等の必要なデータを読み書きし、場合によっては、関連するハードウェア（例えば、入出力装置、表示装置、通信インターフェース装置）を制御することによって実現される。また、本発明の実施形態におけるデータベース（ＤＢ）は、商用データベースであってよいが、単なるテーブルやファイルの集合体をも意味し、データベースの内部構造自体は問わない。
【００６２】
次に、本発明の実施形態に係る銀行システム１におけるＡＴＭ１０の紙幣袋詰め処理について説明する。図９は、本発明の実施形態に係る銀行システム１におけるＡＴＭ１０の紙幣袋詰め処理フローを示す図である。
【００６３】
ステップＳ１において、金額情報受付手段１０２は、顧客の入力部１３の操作に基づき、引き出す金銭の金額を示す金額情報を受け付ける。ステップＳ２において、金銭引出制御手段１０３は、金銭入出金部１４を制御して、ステップＳ１で金額情報受付手段１０２が受け付けた金額情報に基づく金額の紙幣を出す。
【００６４】
ステップＳ３において、金銭引出制御手段１０３は、表示入力部１２において、複数種類の袋のデザインとともに、これらのいずれかを選択することを顧客に促すデザイン選択画像を表示する制御を行う。また、本ステップにおいて、選択デザイン受付手段１０４は、顧客の操作に基づき選択された複数種類の袋のデザインのいずれかを示す選択デザイン情報を受け付ける。
【００６５】
ステップＳ４において、金銭引出制御手段１０３は、紙幣袋詰め部１５を制御して、金銭入出金部１４に出された紙幣を袋に挿入する。ステップＳ５において、金銭引出制御手段１０３は、表示入力部１２において、袋に挿入された紙幣の枚数を確認し、袋の封緘を求めるか否かを顧客に判断させる封緘確認画面を表示する制御を行う。
【００６６】
ステップＳ６において、金銭引出制御手段１０３は、確認済み情報受付手段１０５において確認済み情報を受け付けたか否かを判定し、確認済み情報を受け付けた場合はステップＳ７に処理を移し、確認済み情報を受け付けていない場合はステップＳ８に処理を移す。
【００６７】
ステップＳ７において、金銭引出制御手段１０３は、封緘部１７を制御して、紙幣が挿入された袋の開口部を封緘する。ステップＳ８において、金銭引出制御手段１０３は、ステップＳ７で封緘した袋をＡＴＭ１０の外部に排出する。
【００６８】
次に、本発明の実施形態に係る銀行システム１における紙幣袋詰め処理について説明する。図１０は、本発明の実施形態に係る銀行システム１における紙幣袋詰め処理フローを示す図である。銀行システム１における紙幣袋詰め処理は、振込者が、引出者の口座に振り込むとともに、振り込んだ金額の紙幣を挿入する袋のデザインを指定し、引出者が、ＡＴＭ１０において、振込者が振り込んだ金額の紙幣を、振込者が指定したデザインの袋に挿入された状態で受け取る場合の処理である。
【００６９】
ステップＳ１１において、銀行サーバ２０の銀行サーバ制御手段２１は、振込要求及び振込者選択デザイン情報を振込端末３０から受信し、振込要求における振込金額を引出者の口座に振り込む。
【００７０】
ステップＳ１２において、銀行サーバ２０の袋引出通知手段２２は、ステップＳ１１で銀行サーバ制御手段２１が受信した振込者選択デザイン情報に示されるデザインの袋に挿入された振込金額の紙幣を引出可能であることを示す袋引出通知画像を、引出者の引出端末４０において表示するための袋引出通知情報を生成し、引出端末４０に送信する。
【００７１】
ステップＳ１３において、ＡＴＭ１０の袋引出要求受付手段１０６は、引出者の操作に基づき、袋引出要求を受け付ける。
【００７２】
ステップＳ１４及びステップＳ１５において、ＡＴＭ１０の金銭引出制御手段１０３は、袋引出要求受付手段１０６が受け付けた袋引出要求に基づき、銀行サーバに袋引出情報の送信を要求する。銀行サーバ２０の袋引出情報生成手段２３は、ステップＳ１１で銀行サーバ制御手段２１が受信した振込要求における振込金額を示す振込金額情報と振込者選択デザイン情報とを含む袋引出情報を生成し、ＡＴＭ１０に送信する。ＡＴＭ１０の金銭引出制御手段１０３は、銀行サーバ２０から袋引出情報を受信する。
【００７３】
ステップＳ１６において、ＡＴＭ１０の金銭引出制御手段１０３は、金銭入出金部１４を制御して、ステップＳ１４で受信した袋引出情報に含まれる振込金額情報が示す金額の紙幣を出す。
【００７４】
ステップＳ１７において、ＡＴＭ１０の金銭引出制御手段１０３は、紙幣袋詰め部１５に対し、ステップＳ１６で金銭入出金部１４に出された紙幣を、ステップＳ１４で受信した袋引出情報に含まれる振込者選択デザイン情報が示すデザインの袋に挿入させる制御を行う。
【００７５】
ステップＳ１８において、ＡＴＭ１０の金銭引出制御手段１０３は、表示入力部１２において、袋に挿入された紙幣の枚数を確認し、袋の封緘を求めるか否かを顧客に判断させる封緘確認画面を表示する制御を行う。
【００７６】
ステップＳ１９において、ＡＴＭ１０の金銭引出制御手段１０３は、確認済み情報受付手段１０５において確認済み情報を受け付けたか否かを判定し、確認済み情報を受け付けた場合はステップＳ２０に処理を移し、確認済み情報を受け付けていない場合はステップＳ２１に処理を移す。
【００７７】
ステップＳ２０において、ＡＴＭ１０の金銭引出制御手段１０３は、封緘部１７を制御して、紙幣が挿入された袋の開口部を封緘する。ステップＳ２１において、ＡＴＭ１０の金銭引出制御手段１０３は、ステップＳ２０で封緘した袋をＡＴＭ１０の外部に排出する。
【００７８】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００７９】
１      銀行システム
１０    ＡＴＭ
１０ａ  筐体
１１    カード読込部
１２    表示入力部
１３    入力部
１４    金銭入出金部
１４ａ  金銭収容部
１４ｂ  蓋部
１５    紙幣袋詰め部
１６    枚数確認部
１７    封緘部
１８    通帳記入部
２０    銀行サーバ
２１    銀行サーバ制御手段
２２    袋引出通知手段
２３    袋引出情報生成手段
３０    振込端末
３１    振込端末表示入力部
３２    振込端末制御部
４０    引出端末
４１    引出端末表示入力部
４２    引出端末制御部
５０    紙幣
５１    袋
１００  制御部
１０１  顧客情報受付手段
１０２  金額情報受付手段
１０３  金銭引出制御手段
１０４  選択デザイン受付手段
１０５  確認済み情報受付手段
１０６  袋引出要求受付手段
１６１  拡大表示部
１６２  対比基準部
１６３  紙幣押さえ部
２００  顧客情報ＤＢ
【図１】
0005904879.tif 000002
【図２】
0005904879.tif 000003
【図３】
0005904879.tif 000004
【図４】
0005904879.tif 000005
【図５】
0005904879.tif 000006
【図６】
0005904879.tif 000007
【図７】
0005904879.tif 000008
【図８】
0005904879.tif 000009
【図９】
0005904879.tif 000010
【図１０】
0005904879.tif 000011